(57)【要約】      （修正有）【課題】足裏の皮膚の古い角質や垢を擦り取る効果を容易に発揮する洗浄用具を提供する。【解決手段】合成樹脂あるいは天然木、合成木質、陶磁器、天然樹脂及び繊維、軽金属及び軽金属の合金等を用いた楕円形、円形及び任意の多角形等で構成する成型体の底面部に直線あるいは任意の曲線状の三角畝を設け、足裏に密着擦動する事で、足裏の皮膚の古い角質や垢を容易に擦り取る洗浄用具である。派生的効果として、足裏のツボを刺激するので健康増進効果が得られる。【選択図】図１
2007111472.tif 000002
【特許請求の範囲】
【請求項１】
軽金属及び軽金属の合金およびプラスチック、ポリエチレン、ビニール、ナイロン等合成樹脂および天然あるいは合成木質、陶磁器、天然あるいは合成の繊維等を用いた、楕円状、円形、四辺形及び任意の多角立方体で、亀の甲羅状の膨らみを有し、下面部に設けた直線又は曲線状の三角形の畝は、寸法を畝底部より２〜１０ｍｍ間の任意の高さとし、畝の頂上部間隔を２〜１０ｍｍ間の任意の間隔で、畝の有する角度が直角を含む任意の鋭角である事を特徴とする長さ５〜１５ｃｍ、幅５〜１０ｃｍ、厚さ２〜７ｃｍの成型体で、足裏に密着擦動することにより、足裏の垢や皮膚の古い角質や胼胝を擦り取る効果を高めるように構成したことを特徴とする足裏の垢擦りについて。
【発明の詳細な説明】
【技術分野】
【０００１】この発明は、入浴時あるいは足の洗浄時に足裏に出来た古い角質や胼胝あるいは垢等を簡単に取り除き、足裏の衛生保持に関するものである。
【背景技術】
【特許文献】  特開２００３−０９５９５８        二酸化チタンの新たな特性を活用した医薬品                                        および治療用品                                特開２００１−１３７１４８        やわらかい垢すり                              特開２００１−０１７７６９        くつした用洗濯板                              特開２００１−０００７７１        洗濯用具                                      特開２０００−１０２４８９        ボディウォシャーブル                          特開平１１−１６４７３５          ボディブラシ                                  特開平０９−２９４６９４          垢すりタオル                                  特開平０８−０１０１８３          垢すり                                        登録実用新案番号第３１０５１７６号    足指洗い付きマッサージブラシ              登録実用新案番号第３０９３９６３号    足裏健康器具                              登録実用新案番号第３０８９３９４号    フレキシブル洗濯板                        登録実用新案番号第３０８３３５７号    洗濯板                                    登録実用新案番号第３０８１６５６号    花形の入浴ボール                          登録実用新案番号第３０８１３８２号    入浴用垢すりボール                        登録実用新案番号第３０４７２７０号    手指垢とり軽石
【発明の開示】
【発明が解決しようとする課題】
【０００２】本発明は、入浴時や足の洗浄時に容易に足裏の皮膚の古い角質や胼胝あるいは垢等を、簡単に取り除き、足裏の衛生保持に効果を与える片手で簡単に扱える成型体の下面に任意で複数の三角畝を有する足裏垢すりの提供に関する。【０００３】従来は、入浴時や足の洗浄時に、足裏に出来た皮膚の古い角質や胼胝あるいは垢等を、軽石やヘチマ、タオル状の垢すり布等と石鹸・洗剤等との組合せで擦り取っていたが、軽石の場合は、皮膚の深い部分まで削り取り過ぎたり、あるいは皮膚を深く傷付けることを惧れ、十分な垢取りが出来ない場合等があり、又、ヘチマやタオル等では、古い皮膚の角質や胼胝や垢等を希望通り除去出来ない場合が多かった。【０００４】従来の足裏垢すり製品の多くは、特許文献で引用のとおり、軽石やヘチマ、タオル状あるいは袋状の垢すりと石鹸・洗剤等の組合せ、あるいはハンドル部を有するブラシ状の洗浄具であり、ボール状の垢すりは存在するが、亀の甲羅状の形態を有する垢すり具の存在は無かった。【０００５】又、軽石を使用して垢すりの場合には、皮膚の深い部分まで削り取ったり、あるいは逆に深く皮膚を傷付けることを惧れ、十分な垢取りが出来ない場合があり、又、他のヘチマやタオル・ブラシ状及びボール状の等の垢すり具では、古い皮膚の角質や胼胝や垢等を充分除去出来ない場合が多かった【０００６】大相撲の力士が稽古中あるいは稽古終了後に竹製の薄板を両手で湾曲させ、かいた汗を擦り取る方法があるが、本発明と類似の点は存在しない。【０００７】上述〔０００６〕の場合は両手使いである事、擦り取る作用面が本発明の「複数の畝」であるに対し、両手で湾曲させた１枚の薄い竹板である事、そして、用途においても本発明の場合足裏専用であるが、上述〔０００６〕の場合、背あるいは腹部又は両手両足を含む顔面と足裏以外の全身が対象である事に大きな相違点が存在し、競合しない。【０００８】但し、使用者の判断で、本発明「足裏垢すり」を足裏のみならず、全身の垢擦りに使用する事は否定しない。【０００９】〔特許文献〕「特許公開２００１−０１７７６９」は、本体表面に交差する凹凸を有し、その凹凸で洗濯体を擦り、汚れ落しを実現させるも、上記「特許公開２００１−７７１」同様、用途が洗濯用であり、足裏垢すりに転用・利用するとしても、形態上、ハンドル部の有無で明確な違いを認識できるので、類似性を排除出来る。【００１０】又、同〔特許文献〕「特許公開２００１−０００７７１」の如くは、擦り体に汚れ落し用の畝を有しているが、洗濯用であり、ハンドル部を有することと畝の状態が平面状であることから、本発明とは目的を異とする為、類似性は否定される。【００１１】又、軽石をすりこぎ状に成形し、特に指の間の垢すりに効果を上げるように考案された登録実用新案第３０４７２７０号「手垢指垢とり軽石」は、特徴として、手用と標榜しており、用途が異なり、本発明と競合しない。【００１２】又、同〔特許文献〕特開平０９−２９４６９４垢すりタオルの如く、タオル自体の織り方と中間に熱処理を加え、恒常的に横畝を有するタオルの発明もあるが、あくまでもタオルであり、用途と形状を異にするので、類似性を否定する。【００１３】「登録実用新案番号第３０８９３９４号」の「フレキシブル洗濯板」および「登録実用新案番号第３０８３３５７号」の「洗濯板」は布帛に付着した汚れや垢を畝との摩擦で除去する機能を有するが、用途や名称が「洗濯板」なので、本発明と競合しない。【００１４】「登録実用新案番号第３０８１６５６号」の「花形の入浴ボール」と「登録実用新案番号第３０８１３８２号」の「入浴用垢すりボール」は、プラステック薄膜を折り畳み、中央部付近で結び止めボールあるいは花状の立体的になるように成形し、プラステック薄膜で折り畳み構成した多数の襞で垢すりを実現するものであるが、全体の形状、襞の構造等基本的な点から構想を異にするため、本発明と競合しない。【００１５】三角形の畝の寸法においては、〔請求項１〕に記述のとおり、畝の大きさは「足裏垢すり」使用者の好みに応じて選択出来るように準備可能だが、寸法３ｍｍ間隔と畝の角度６０°の正三角形が最良の効果を現す。【００１６】その他、「垢すり」を標榜するは数多く存在するが、足裏の垢すりを専門とする発明・考案の商品は未だ存在しなかった。【００１７】又、除去を望むあまり強く擦り過ぎ、部分的に皮膚を深く傷付けたり、皮膚を薄く成り過ぎる程除去した事が原因で、多くの場合、公衆浴場や温泉等で水虫や皮膚病に感染する被害が発生していた。
【発明を実施するための最良の形態】
【実施例】
【００１８】本発明は、皮膚の古い角質や胼胝あるいは垢等の除去において、必要にして充分な研削効果を発揮するように畝の角度と間隔を決める事によって、効率良く皮膚の古い角質や垢の除去を実現させることである。【００１９】又、三角形の畝の角度と間隔は、擦り取られた皮膚の古い角質や胼胝あるいは垢等が溜まっても、研削効果が低下せず、畝の間に溜まった皮膚の古い角質や胼胝あるいは垢等が容易に除去出来る様、畝の寸法及び間隔が３ｍｍ、畝の角度３０乃至６０°の正三角形が最良の効果を現す事を特徴とするが、畝の寸法及び間隔は２〜１０ｍｍの間の任意の寸法であり、任意の鋭角を選定出来る多様性を有する事を特徴とする。【００２０】本発明は、片手で容易に把握出来る形状で容積が小さいため、自宅浴場以外の温泉・銭湯等で利用する際にでも、嵩張らず携帯に便利である事を特徴とする。【００２１】〔図〕１の楕円形や〔図〕２の円形等の足裏垢すりにて図示の曲線状畝の他、直線状及び波状の畝等と各々自由に組み合せることが出来ることを特徴とする。【００２２】波状畝の場合、波型は任意のサイズを選定出来る特徴を有す。【００２３】又、特に曲線状畝の場合、前方に押しながらの擦り取りを行うと、曲線率を前方より後方に向かうに従い大きく畝の構成をなしているので、足裏の皮膚が押し広げられ、皮膚の古い角質や胼胝あるいは垢等の除去が更に効率良く行われる事を特徴とする。
【発明の効果】
【００２４】本発明は、片手で容易に把握出来る形状であり、把握した状態で足裏に擦り付け、皮膚の古い角質や胼胝あるいは垢等を容易に除去出来ることを特徴とする。
【００２５】皮膚の古い角質や胼胝あるいは垢等を容易に除去する際に入れる力を、自由に制御出来る形状と体積なので、足裏に痛みを感じさせる事無く、前方に向け軽く擦るだけで足裏皮膚の古い角質や胼胝あるいは垢等を容易に除去出来る事を特徴とする
【００２６】又、足裏垢すりの畝の間隔に溜まった、擦り取られた垢や皮膚の古い角質胼胝あるいは垢等は、使用後、湯に漬け、足裏垢すりを揺り動かす事で容易に除去出来る事が特徴であり、更に、石鹸を付けてすすぐとより効果的に除去出来る。
【００２７】足裏垢すりの畝の間に溜まった、擦り取られた皮膚の古い角質や胼胝あるいは垢等は容易に除去出来るので、使用後の足裏垢すりの衛生状態を良好に保つ事を特徴とする。
【００２８】〔特開２００３−０９５９５８〕における記述の通り、特にチタンあるいはチタンをコーティングした先端作用部の場合、同金属特有の殺菌作用によって、足裏皮膚の清潔の保持により効果的であるが、当該発明においては、医薬品及び治療用具が対象であり、足裏垢すりに関する記述が無い事と本発明は健康保持あるいは皮膚表面の清浄を保持するための用具であるから、本発明との間に類似や競合は存在しない。
【産業上の利用可能性】
【００２９】産業上の利用分野としては、一般家庭用の入浴関連商品として、一家庭に最低一個以上、歯ブラシのように各個人用として備え付けられ、普及するものである。【００３０】特に、「足湯」が一般化するに従い、足裏の手入れについて、関心が高まり、又、足裏を清潔に保つ過程において擦られる足裏は、マッサージ効果による刺激で人体のツボが集中している為、新陳代謝が亢進し、更なる健康効果を得られる。
【図面の簡単な説明】
【図１】  曲線状に設けた畝を有する楕円形の足裏垢すりの作用部側を表す平面概念図
【図２】  曲線状に設けた畝を有する円形の足裏垢すりの作用部側を表す平面概念図
【図３】  足裏垢すりの縦断面概念図（Ａ〜Ａ）
【図４】  足裏垢すりの横断面概念図（Ｂ〜Ｂ）
【符号の説明】
１・畝      １１・畝の断面
２・足裏垢すり本体
３．足裏垢すり本体側面      ３１．足裏垢すり本体側面の凹部
４・畝の高さ      ４１・畝の間隔      ４２．畝の稜      ４３．畝の谷
５・畝構成境界
【図１】
2007111472.tif 000003
【図２】
2007111472.tif 000004
【図３】
2007111472.tif 000005
【図４】
2007111472.tif 000006